(57)【要約】
【課題】電動回転器の回転軸に筆を嵌着して容器内に挿入し、スイッチを入れるだけで、筆洗いが自動的に、簡単、容易かつ迅速にでき、また、筆洗い程度や水の清濁度を目で見て即座に判別できる筆洗い装置を提供する。
【解決手段】一定水位を維持できるようにすると共に、筆洗い水の排水を早くした流出孔１３を底板１２に設けた容器１０と、筆３０の軸尻３１１穴に嵌入して嵌着し、または筆軸３１端に外嵌して嵌着し、回転できるようにした回転軸２２を設けた電動回転器２０とを備えて、前記容器１０内に挿入した筆３０の筆先３２を遠心力で拡げるように筆３０を電動回転して筆洗いするものである。
【選択図】　　　　図４
0003100545.tif 000002
【実用新案登録請求の範囲】
【請求項１】
　一定水位を維持できるようにすると共に、筆洗い水の排水を早くした流出孔１３を底板１２に設けた容器１０と、筆３０の軸尻３１１穴に嵌入して嵌着し、または、筆軸３１端に外嵌して嵌着し、回転できるようにした回転軸２２を設けた電動回転器２０とを備えて、前記容器１０内に挿入した筆３０の筆先３２を遠心力で拡げるように筆３０を電動回転し筆洗いすることを特徴とした筆洗い装置。
【考案の詳細な説明】
【技術分野】
【０００１】
　本考案は、主として書道、絵画等で用いる筆を筆洗いする筆洗い装置に関するものである。
【背景技術】
【０００２】
　従来は、実開平５−９９８６号公報に示される筆洗い装置があったが、このものは、コップ１のなかに水道水を入れ排水できるようにすると共に、筆８を手で持って入れ、手で筆を振動しながら筆洗いしていたが、筆洗い時間が比較的長く、また、コップ１の排出孔４がコップ側壁に設けられているので、筆を洗った汚れ水の排水がたまりコップ１内の水の筆洗いの度合いが判別しにくい欠点があった。
　そこで、本考案者は、筆を電動回転して筆先を大きく拡げて拡散できるようにすると共に、筆洗い水の排水を早くできるようにし、常に新しい水を供給することにより、筆洗いの程度を容易に判別し、かつ、筆洗いを迅速、完全に行うことに成功し、本考案を完成した。
【特許文献１】実開平５−９９８６号公報
【考案の開示】
【考案が解決しようとする課題】
【０００３】
　本考案は、電動回転器の回転軸に筆を嵌着して容器内に挿入し、スイッチを入れるだけで、筆洗いが自動的に、簡単、容易かつ迅速にでき、また、筆洗い程度や水の清濁度を目で見て即座に判別できる筆洗い装置を提供するものである。
【課題を解決するための手段】
【０００４】
　本考案の筆洗い装置は、上記課題を達成するため、図１乃至図７に示すように、一定水位を維持できるようにすると共に、筆洗い水の排水を早くした流出孔１３を底面に設けた容器１０と、筆３０の軸尻３１１穴に嵌入して嵌着し、または、筆軸３１端に外嵌して嵌着し、回転できるようにした回転軸２２を設けた電動回転器２０とを備えて、前記容器１０内に挿入した筆３０の筆先３２を遠心力で拡げるように筆３０を電動回転し筆洗いするものである。
　本考案において、容器１０は、一定水位を維持すると共に、筆洗い水の排水を早くできるように底面の流出孔１３の大きさを加減するものである。
　また、本考案において、電動回転器２０は、電池と直流電動機を内蔵したもののほか、コード付きの交流電動機を内蔵したものでもよい。
　筆軸３１端に外嵌して回転軸２２を回転させるには、図５に示すように、一端の孔２３２を筆軸３１端に外嵌して嵌着すると共に、他端の孔２３１に回転軸２２を嵌入して嵌着する継手２３が使用される。
　また、継手は、次のものでもよい。すなわち、図６に示すように、継手２３Ｂは、一端の孔２３１Ｂを電動回転器２０の回転軸２２に嵌入して嵌着できるようにすると共に、他端の孔２３２Ｂを段階的に設け、筆３０の筆軸３１端の外径に応じて外嵌して嵌着できるものである。
【考案の効果】
【０００５】
　本考案によれば、電動回転器２０に筆３０を装着して筆先３２を容器１０内に挿入し回転させるだけで、簡単、容易かつ短時間に、完全な筆洗いができることとなった。
【考案を実施するための最良の形態】
【０００６】
　本考案は、墨や絵具が付着した筆先を拡げて、自動的に短時間に、手軽に、筆洗いができる筆洗い装置を実現した。
【実施例１】
【０００７】
　本考案の実施例１が図１乃至図４に示されている。
　本考案の筆洗い装置は、流出孔１３を底板１２に設けたコップ状容器１０と、筆３０を取り付けて回転できるようにした電動回転器２０とを備えている。
　コップ状容器１０は、蛇口４０からの水の流入に対し一定水位を維持して、筆洗い水の排水を早くできるようにした流出孔１３を中央に設けた底板１２と、底板１２に連設する円筒状の側壁１１とで形成されている。
　電動回転器２０は、電池と直流電動機を内蔵した駆動部２１と、電動機軸を延長し筆３０の軸尻３１１穴に嵌入できるようにした回転軸２２とを備えている。
　従って、筆洗いする際は、コップ状容器１０に蛇口４０から水道水を流入させ、一定量の流水が滞留するよう水量を調節した状態で、筆３０の筆軸３１の後端の軸尻３１１穴に回転軸２２端を嵌入して嵌着し、コップ状容器１０の水中に筆３０の筆先３２を没入して、電動回転器２０のスイッチを入れ電動回転することにより、筆先３２は大きく拡がるように拡散して、短時間に効率よく、完全な筆洗いができる。
【実施例２】
【０００８】
　本考案の実施例２が図５乃至図７に示されている。
　本考案の実施例２は、実施例１と同一のコップ状容器１０と、電動回転器２０とを備えている。また、電動回転器２０には継手２３を備えている。
　継手２３は、ゴム製で、一端に筆３０の筆軸３１端に外嵌して嵌着できる孔２３２と、他端に回転軸２２端を嵌入して嵌着する孔２３１を設けている。なお、継手は前述したように、図６に示す継手２３Ｂでもよい。
　従って、筆洗いする際は、筆３０の筆軸３１の後端３１１を継手２３の一端の孔２３２に嵌入して嵌着し、継手２３の他端の孔２３１に電動回転器２０の回転軸２２を嵌入して嵌着したのち、コップ状容器１０に蛇口４０から水道水を流入させ一定量の流水が滞留するよう水量を調節した状態で、コップ状容器１０の水中に筆３０の筆先３２を没入して、電動回転器２０のスイッチを入れ電動回転することにより、筆先３２は大きく拡がるように拡散して、短時間に効率よく、完全な筆洗いができる。
【産業上の利用可能性】
【０００９】
　本考案によれば、書道教室や絵画教室などで多数の人数が、迅速、容易に筆洗いを順次行うことが可能となった。
【図面の簡単な説明】
【００１０】
【図１】本考案実施例１の容器の断面図である。
【図２】本考案実施例１の電動回転器の斜視図である。
【図３】本考案実施例１に使用される筆の一例を示す斜視図である。
【図４】本考案実施例１の使用状態説明図である。
【図５】本考案実施例２の継手の斜視図である。
【図６】本考案実施例２の別の継手の断面図である。
【図７】本考案実施例２の使用状態説明図である。
【符号の説明】
【００１１】
　１０　　コップ状容器
　１１　　コップ状容器の側壁
　１２　　コップ状容器の底板
　１３　　流出孔
　２０　　電動回転器
　２１　　電動回転器の駆動部
　２２　　電動回転器の回転軸
　２３、２３Ｂ　　継手
　３０　　筆
　３１　　筆軸
　３１１　　軸尻
　３２　　筆先
　４０　　蛇口
【図１】
0003100545.tif 000003
【図２】
0003100545.tif 000004
【図３】
0003100545.tif 000005
【図４】
0003100545.tif 000006
【図５】
0003100545.tif 000007
【図６】
0003100545.tif 000008
【図７】
0003100545.tif 000009